(57)【要約】      （修正有）【課題】空気調和装置の樹脂部品における樹脂成形の作業効率を更に向上する。【解決手段】吸込口と吹出口を有する箱形状の本体ケースと、この本体ケース内に設けた空気調和手段とからなり、本体ケースは、第１の本体ケース部２３と、この第１の本体ケース部２３に取り付け可能な樹脂成形によって作られた少なくとも二つの第２の本体ケース部２４とからなり、この第２の本体ケース部２４には、本体ケース外の状態を検知するセンサ部品を取り付けられる部品取付部２５を備え、この部品取付部２５には、本体ケースの外方と内方とを連通する開口と、この開口に設けた格子部を有し、この格子部は、組立時に切り取ることができる。これにより、一種類の第２の本体ケース部が、本体ケースの形状の異なる一方側と他方側との部品となる。【選択図】図８
2015045439.tif 000002
【特許請求の範囲】
【請求項１】
吸込口と吹出口を有する箱形状の本体ケースと、この本体ケース内に設けた空気調和手段とからなり、前記本体ケースは、第１の本体ケース部と、この第１の本体ケース部に取り付け可能な樹脂成形によって作られた少なくとも二つの第２の本体ケース部とからなり、この第２の本体ケース部には、前記本体ケース外の状態を検知するセンサ部品を取り付けられる部品取付部を備え、この部品取付部には、前記本体ケースの外方と内方とを連通する開口と、この開口に設けた格子部を有し、この格子部は、組立時に切り取ることができることを特徴とする空気調和装置。
【請求項２】
前記格子部は、前記本体ケースの内方へ突出し、前記格子部を組立時に切り取らないと前記格子部と前記センサ部品とが接触し、取り付けられないことを特徴とする請求項１に記載の空気調和装置。
【請求項３】
前記開口は、水平方向が軸方向である筒形状で、前記格子部は、前記開口の前記本体ケースの内方の端部から伸びていることを特徴とする請求項２に記載の空気調和装置。
【発明の詳細な説明】
【技術分野】
【０００１】
本発明は、一般家庭や事務所等で使用される空気調和装置に関するものである。
【背景技術】
【０００２】
従来、この種の空気調和装置は、吸込口と吹出口とを有する箱形状の本体ケースと、この本体ケース内に設けた空気調和手段とからなり、本体ケースは、樹脂成形によって作られ、第１の本体ケース部と、側面に設けられる形状の異なる第２の本体ケース部と第３の本体ケース部とからなるものが知られている。（例えば、特許文献１参照）
【先行技術文献】
【特許文献】
【０００３】
【特許文献１】特開２０１１−０３３２９２号公報
【発明の概要】
【発明が解決しようとする課題】
【０００４】
上記従来例の課題は、樹脂成形の作業効率の更なる向上である。
【０００５】
従来は、吸込口と吹出口を有する箱形状の本体ケースと、この本体ケース内に設けた空気調和手段とからなり、樹脂成形によって作られ、第１の本体ケース部と側面に設けられる形状の異なる第２の本体ケース部と第３の本体ケース部を、樹脂成形時に、二種類の樹脂金型で成形するものであった。
【０００６】
樹脂成形時には、射出成型機に樹脂金型を装着し、樹脂成型を行うが、二種類の樹脂金型を１台の射出成型機で使用する場合は、樹脂金型の取替え作業が伴い、樹脂成形の作業効率が下がる場合があった。
【０００７】
そこで、樹脂成形の作業効率を上げるために、１つの樹脂金型から複数の部品を成形する方法もあるが、特に大きな部品である本体ケースの部品では、１つの樹脂金型から複数の形状の異なる部品を成形するのは、樹脂金型、射出成型機も大きくなり、困難な場合があった。
【０００８】
そこで本発明は、空気調和装置の樹脂部品における樹脂成形の作業効率の更なる向上を目的とするものである。
【課題を解決するための手段】
【０００９】
そして、この目的を達成するために、本発明は、吸込口と吹出口を有する箱形状の本体ケースと、この本体ケース内に設けた空気調和手段とからなり、前記本体ケースは、第１の本体ケース部と、この第１の本体ケース部に取り付け可能な樹脂成形によって作られた少なくとも二つの第２の本体ケース部とからなり、この第２の本体ケース部には、前記本体ケース外の状態を検知するセンサ部品を取り付けられる部品取付部を備え、この部品取付部には、前記本体ケースの外方と内方とを連通する開口と、この開口に設けた格子部を有し、この格子部は、組立時に切り取ることができることを特徴としたものである。
【００１０】
これにより、所期の目的を達成するものである。
【発明の効果】
【００１１】
以上のように本発明は、吸込口と吹出口を有する箱形状の本体ケースと、この本体ケース内に設けた空気調和手段とからなり、前記本体ケースは、第１の本体ケース部と、この第１の本体ケース部に取り付け可能な樹脂成形によって作られた少なくとも二つの第２の本体ケース部とからなり、この第２の本体ケース部には、前記本体ケース外の状態を検知するセンサ部品を取り付けられる部品取付部を備え、この部品取付部には、前記本体ケースの外方と内方とを連通する開口と、この開口に設けた格子部を有し、この格子部は、組立時に切り取ることができることを特徴としたものである。
【００１２】
すなわち、第２の本体ケース部の開口に設けた格子部は、組立時に切り取ることができる。これにより、第２の本体ケース部は、格子部を切り取り、センサ部品を取り付けた本体ケースの一方側の部品と、格子部を切り取らず、センサ部品を取り付け無い本体ケースの他方側の部品とに使用できる。つまり、第２の本体ケース部は、形状の異なる二種類の本体ケースの部品として流用できる。
【００１３】
結果として、本体ケースの部品である一種類の第２の本体ケース部が、本体ケースの形状の異なる一方側と他方側との部品となるので、樹脂成形時に、二種類の樹脂金型で成形する必要が無く、一種類の樹脂金型で成形できるので、樹脂成形の作業効率を更に向上できる。
【図面の簡単な説明】
【００１４】
【図１】本発明の実施の形態１の空気調和装置の外形を示す斜視図
【図２】同空気調和装置の正面から見た清浄風路全閉時の断面図
【図３】同空気調和装置の風量割合調節手段の斜視図
【図４】同空気調和装置の側面から見た清浄風路全開時の垂直断面図
【図５】同空気調和装置の上から見た清浄風路全開時の水平断面図
【図６】同空気調和装置の側面から見た清浄風路全閉時の垂直断面図
【図７】同空気調和装置の上から見た清浄風路全閉時の水平断面図
【図８】同空気調和装置の本体ケースの展開図
【図９】同空気調和装置の本体ケースの部品取付部を示す図
【図１０】同空気調和装置の本体ケースの部品取付部を示す図
【発明を実施するための形態】
【００１５】
以下、本発明の実施の形態について図面を参照しながら説明する。
【００１６】
（実施の形態１）
図１から図３に示すように、本実施形態の空気調和装置は、吹出口２と吸込口３を有する本体ケース１と、この本体ケース１内に、送風手段６と、風量割合調節手段７と、空気調和手段である清浄フィルタ４と、加湿手段５とを備えている。
【００１７】
本体ケース１は、縦長箱形状で、上面には、操作手段と吹出口２を設け、左右両側面には、吸込口３を備えている。吸込口３の内方には、第１の吸込口８と第２の吸込口９とを備えている。第１の吸込口８と第２の吸込口９とは、縦長四角形状で、上下に仕切り板１０によって仕切られている。第１の吸込口８は、第２の吸込口９の上方に設けられている。第１の吸込口８の開口面積は、第２の吸込口９の開口面積より大きい。なお、本体ケース１の少なくとも一方側の側面下部に第２の吸込口９を設け、第２の吸込口９の上方に第１の吸込口８を備えていれば良い。
【００１８】
清浄フィルタ４は、吸込口３と、第１の吸込口８および第２の吸込口９との間に設けられている。具体的には、第１の吸込口８および第２の吸込口９の外方で、本体ケース１における左右に１枚ずつ設けられている。清浄フィルタ４は、空気中の粉塵が除去できれば良く、例えば、高性能フィルタ、中性能フィルタ、あるいは静電フィルタなどがある。
【００１９】
加湿手段５は、第２の吸込口９の間に設けられている。加湿手段５は、椀形状の貯水容器２０と、この貯水容器２０の水に下端の開口が浸漬した筒形状の加湿フィルター２１とからなる。加湿フィルター２１は、吸い上げ式で、貯水容器２０の水を吸い上げられるものであれば良い。
【００２０】
送風手段６は、第１の吸込口８より上方で、加湿手段５と吹出口２との間に設けている。送風手段６としては、ターボファン、軸流送風機等などがある。
【００２１】
送風手段６によって送風される風路は、清浄風路１１と加湿清浄風路１２とがある。
【００２２】
清浄風路１１は、送風手段６によって、第１の吸込口８から吸い込まれた空気が、清浄フィルタ４、送風手段６を介して吹出口２へ送風される風路である。加湿清浄風路１２は、送風手段６によって、第２の吸込口９から吸い込まれた空気が、清浄フィルタ４、加湿手段５、送風手段６を介して吹出口２へ送風される風路である。すなわち、送風手段６によって、清浄風路１１と加湿清浄風路１２との両方の風路から送風される。
【００２３】
風量割合調節手段７は、清浄風路１１における清浄フィルタ４と送風手段６との間であると共に、加湿清浄風路１２における加湿手段５と送風手段６との間に設けている。この風量割合調節手段７は、清浄風路１１の風量と加湿清浄風路１２の風量との割合を調節できる。
【００２４】
これにより、風量割合調節手段７は、清浄風路１１の風量と加湿清浄風路１２の風量との割合を調節できるので、加湿清浄風量だけを増加させることができる。結果として、加湿効率が向上する。
【００２５】
具体的には、風量割合調節手段７は、本体ケース１内に回動自在に設けられた円筒１３と、この円筒１３の側周面と接する遮蔽部１４と、円筒を回動する円筒回転手段とからなる。
【００２６】
円筒１３は、上下方向が軸方向で側周面に少なくとも１つの側面開口１６を備えている。
【００２７】
清浄風路１１は、円筒１３の側面開口１６から上面の上面開口１７へと連通している。加湿清浄風路１２は、円筒１３の下面の下面開口１８から上面開口１７へと連通している。ここで、円筒回転手段によって、円筒１３を回動させると遮蔽部１４によって側面開口１６の開口面積が変化するものである。
【００２８】
遮蔽部１４は、本体ケース１内における、本体ケース１前面側と背面側とが、内方に突出し、先端が、円筒１３の外周の側周面に沿う形状である。
【００２９】
円筒回転手段は、円筒１３の上端側面に設けられた円環状のギア２２と、本体ケース１内に設けたステッピングモータ（図示せず）と、このステッピングモータによって回動する歯車（図示せず）とからなる。ステッピングモータによって、歯車が回動し、この歯車と噛み合っているギア２２が回動することにより、円筒１３が回動するものである。
【００３０】
以上の構成で、図４から図７に示すように、円筒１３が回動し、側面開口１６と遮蔽部１４とが重なると、重なった部分だけ、側面開口１６が小さくなる。これにより、風量割合調節手段７は、円筒１３を回動させ、遮蔽部１４によって側面開口１６を全開から全閉まで変化させることが出来る。すなわち、側面開口１６を全開から全閉することができるので、清浄風路１１を遮蔽し、加湿清浄風路１２のみとなり、加湿清浄風量だけを増加させることができる。
【００３１】
図８から図１０に示すように、本体ケース１は、第１の本体ケース部２３と、この第１の本体ケース部２３に取り付け可能な樹脂成形によって作られた二つの第２の本体ケース部２４とからなる。この第２の本体ケース部２４には、本体ケース１外の状態を検知するセンサ部品を取り付けられる部品取付部２５を備えている。
【００３２】
本実施形態における特徴点は、部品取付部２５の形状である。この部品取付部２５には、本体ケース１の外方と内方とを連通する開口２６と、この開口２６に設けた格子部２７を有する。この格子部２７は、組立時に切り取ることができるものである。
【００３３】
すなわち、第２の本体ケース部の開口２６に設けた格子部２７は、組立時に切り取ることができる。これにより、第２の本体ケース部２４は、格子部２７を切り取り、センサ部品２８を取り付けた本体ケース１の一方側の部品と、格子部２７を切り取らず、センサ部品を取り付け無い本体ケース１の他方側の部品とに使用できる。つまり、第２の本体ケース部２４は、形状の異なる二種類の本体ケース１の部品として流用できる。
【００３４】
結果として、一種類の本体ケース１の部品である第２の本体ケース部２４が、本体ケースの形状の異なる一方側と他方側との部品となるので、樹脂成形時に、二種類の樹脂金型で成形する必要が無く、一種類の樹脂金型で成形できるので、樹脂成形の作業効率を更に向上できる。
【００３５】
また、格子部２７は、本体ケース１の内方へ突出し、格子部２７を組立時に切り取らないと格子部２７とセンサ部品２８とが接触し、取り付けられないものである。具体的には、開口２６は、水平方向が軸方向である筒形状で、格子部２７は、開口２６の本体ケースの内方の端部から伸びているものである。
【００３６】
これにより、格子部２７を組立時に切り取らないと格子部２７とセンサ部品２８とが接触し、取り付けられないものである。結果として、格子部２７の切り取り忘れを防止できる。
【００３７】
また、開口２６に設けた格子部２７の目の大きさは、１円玉が入らない大きさであるので、綿棒を差込み、センサ部品２８内のセンサの掃除がしにくい大きさでもある。そして、格子部２７を切り取った開口２６の大きさは、この開口２６から綿棒を差込み、センサ部品２８内のセンサ（図示せず）の掃除が出来る大きさである。  仮に、格子部２７を切り取らないでもセンサ部品２８を取り付けられる構造であると、万一、組立時に格子部２７を切り取り忘れると、センサの掃除がしにくいものとなる。
【産業上の利用可能性】
【００３８】
本発明は、吸込口と吹出口を有する箱形状の本体ケースと、この本体ケース内に設けた空気調和手段とからなり、前記本体ケースは、第１の本体ケース部と、この第１の本体ケース部に取り付け可能な樹脂成形によって作られた少なくとも二つの第２の本体ケース部とからなり、この第２の本体ケース部には、前記本体ケース外の状態を検知するセンサ部品を取り付けられる部品取付部を備え、この部品取付部には、前記本体ケースの外方と内方とを連通する開口と、この開口に設けた格子部を有し、この格子部は、組立時に切り取ることができることを特徴としたものである。
【００３９】
すなわち、第２の本体ケース部の開口に設けた格子部は、組立時に切り取ることができる。これにより、第２の本体ケース部は、格子部を切り取り、センサ部品を取り付けた本体ケースの一方側の部品と、格子部を切り取らず、センサ部品を取り付け無い本体ケースの他方側の部品とに使用できる。つまり、第２の本体ケース部は、形状の異なる二種類の本体ケースの部品として流用できる。
【００４０】
結果として、本体ケースの部品である一種類の第２の本体ケース部が、本体ケースの形状の異なる一方側と他方側との部品となるので、樹脂成形時に、二種類の樹脂金型で成形する必要が無く、一種類の樹脂金型で成形できるので、樹脂成形の作業効率を更に向上できるので、加湿、空気清浄、加湿空気調和装置等の空調機等として有用である。
【符号の説明】
【００４１】
１      本体ケース
２      吹出口
３      吸込口
４      清浄フィルタ
５      加湿手段
６      送風手段
７      風量割合調節手段
８      第１の吸込口
９      第２の吸込口
１０      仕切り板
１１      清浄風路
１２      加湿清浄風路
１３      円筒
１４      遮蔽部
１６      側面開口
１７      上面開口
１８      下面開口
２０      貯水容器
２１      加湿フィルター
２２      ギア
２３      第１の本体ケース部
２４      第２の本体ケース部
２５      部品取付部
２６      開口
２７      格子部
２８      センサ部品
【図１】
2015045439.tif 000003
【図２】
2015045439.tif 000004
【図３】
2015045439.tif 000005
【図４】
2015045439.tif 000006
【図５】
2015045439.tif 000007
【図６】
2015045439.tif 000008
【図７】
2015045439.tif 000009
【図８】
2015045439.tif 000010
【図９】
2015045439.tif 000011
【図１０】
2015045439.tif 000012